(57)【特許請求の範囲】
【請求項１】
複数の電子部品（２ａ、２ｂ）が配置されている共通のベース基板（３）と、
入力信号（Ｉ）を入力し、制御信号（Ｃ）を入力し、出力信号（Ｏ）を出力するために設計された第１、第２および第３誘導デバイス（５・６・７）と、
上記電子部品（２ａ、２ｂ）を、対をなして接続する接続デバイス（８）とを備え、
上記誘導デバイス（５・６・７）および上記接続デバイス（８）は、ベース基板（３）上にバス構造をとって設計されており、
上記ベース基板（３）上には、導電性の基板（４）が表面領域（４ａ）として備えられており、
上記バス構造は、導電性の基板（４）として、表面領域として、それぞれ設計されており、
上記電子部品（２ａ、２ｂ）は、電子スイッチ（１０ａ、１０ｂ）とダイオードデバイス（１２ａ、１２ｂ）とを並列接続して形成されており、
上記電子スイッチ（１０ａ、１０ｂ）は、トランジスタ、トライアック、サイリスタ、ＩＧＢＴの何れかとして設計されていると共に、入力端子と、出力端子と、制御端子とを有するように設計されており、
上記電子スイッチ（１０ａ、１０ｂ）は、コレクタ領域またはドレイン領域（Ｃ）、および、エミッタ領域またはソース領域（Ｅ）を備え、
上記コレクタ領域またはドレイン領域（Ｃ）は、ダイオードデバイス（１２ａ、１２ｂ）のアノード領域（１２Ａ）とそれぞれ接触し、
上記エミッタ領域またはソース領域（Ｅ）は、ダイオードデバイス（１２ａ、１２ｂ）のカソード領域（１２Ｋ）とそれぞれ接触しており、
上記電子スイッチ（１０ａ、１０ｂ）は、ベース領域またはゲート領域（Ｇ）を備え、
上記ベース領域またはゲート領域（Ｇ）は、制御端子としてそれぞれ機能し、第２誘導デバイス（６）と、接触デバイス（９）を介して接続でき、
上記の回路構造（１）は、第１誘導デバイス（５）上に位置する入力信号（Ｉ）の複数成分（Ｒ・Ｓ・Ｔ）を第３誘導デバイス（７）上に位置する出力信号（Ｏ）の複数成分（Ｕ・Ｖ・Ｗ）に変換するための外部から制御できるマトリックス変換器として、設計されており、
上記複数のスイッチングデバイスは、所定の対の数に固定されて互いに配置されており、
対をなす上記第１部品の出力端子を、接触デバイス（９）および接続デバイス（８）を介して上記対をなして配置された第２部品の入力端子とそれぞれ接続でき、
上記入力信号またはその一部を受信するために、対をなす第１部品の入力端子を、接触デバイス（９）を介して、第１誘導デバイス（５）とそれぞれ接続でき、
上記出力信号またはその一部を出力するために、対をなす第２部分の出力端子を、接触デバイス（９）を介して、第３誘導デバイス（７）とそれぞれ接続でき、
電子スイッチデバイスの対をなす部品のエミッタ領域またはドレイン領域（Ｅ）か、または、コレクタ領域またはソース領域（Ｃ）かのどちらかを、接触デバイス（９）および接続デバイス（８）を介して互いに接続でき、
３つの入力位相（Ｒ，Ｓ，Ｔ）を３つの出力位相（Ｕ，Ｖ，Ｗ）にマトリックス接続するための、１８個の双方向スイッチ作用を実現する１８個の同一の電子部品（２ａ、２ｂ）、あるいは逆方向ブロッキングスイッチ作用を実現する９個の同一の電子部品（２ａ、２ｂ）が、共通のベース基板（３）上で組織化されることを特徴とする出力半導体モジュール。
【請求項２】
上記のバス構造は、複数の別々の誘導部品をそれぞれ備えていることを特徴とする請求項１に記載の出力半導体モジュール。
【請求項３】
上記複数の電子部品（２ａ、２ｂ）を、相互にバス構造と接触できることを特徴とする請求項１または２に記載の出力半導体モジュール。
【請求項４】
入力信号(I）の入力、出力信号(O）の出力、および／または制御信号の入力を行なうために、信号端子が備えられており、
上記端子は、回路構造において互いに別々に設計された端子群を形成するように配置されていることを特徴とする請求項１〜３のいずれかに記載の出力半導体モジュール。
【請求項５】
上記の端子群は、同じ電位を上下にそれぞれ備えており、
上記の端子群は、それぞれ別々の電位島を形成することを特徴とする請求項４に記載の出力半導体モジュール。
【請求項６】
上記回路構造（Schaltungsaufbau）は、入力端子および出力端子またはそれらの領域に関して、対称的にまたは同一に設計されていることを特徴とする請求項１〜５のいずれかに記載の出力半導体モジュール。
【発明の詳細な説明】
本発明は、請求項１の前提構成に基づいた回路構造（Schaltungsanordnung）に関するものである。
【０００１】
電子部品（elektronischer Bauelemente）の回路構造、特に半導体モジュール、出力半導体モジュール（Leistungshalbleitermodulen）等に関して、該電子部品は、同一の基板上に配置され、接続デバイスを用いて少なくとも部分的に、例えば対をなして互いに接続されている。さらに、入力信号および／または制御信号を入力し、かつ、出力信号を出力するために設計された他の適切な出力デバイスによって、適切な信号が電子部品に入力（versorgt）または出力（entsorgt）される場合もある。
【０００２】
特にモジュール型の該回路構造については知られているが、これに関しては、以下の要求が高まっている。すなわち、回路構造に備えられた電子部品間での複数の接触を、一方では上下（untereinander）に、他方では外部との接触に適した接続デバイスおよび／または誘導デバイス（Leitungseinrichtungen）を用いて、できる限り面積を縮小して、適応性を有して、それでもなお精確に設計するという要求である。
【０００３】
回路構造の内部、特にモジュール等の内部に位置する電子部品の配線については知られているが、この配線に関して、および、特にいわゆるマトリックス変換器に関しては、複数成分を有する入力信号が回路構造に入力される場合もある。なお、この入力信号は、電子部品の配線を経由して他の誘導デバイスを介して出力される、場合によっては同様に複数成分を有する出力信号に変換されるものである。この変換は、一方では電子部品の特性によって、
他方では電子部品に適した接続デバイスを介する配線によって行われる。
【０００４】
知られている回路構造、特にモジュールまたはそのように設計されたマトリックス変換器に関しては、この接続デバイスによって、個々の誘導デバイス（好ましくはワイヤボンド（Drahtbonds））を介して、少なくとも部分的に対をなす電子部品の接触が行われる。ワイヤボンドまたは明確に意図された単一の接続デバイス（Einzelverbindungseinrichtungen）を経由したこの接触によって、回路構造内の電子部品の配線を限られた範囲内でのみコンパクトに集積化できる。さらに、この接触によって、例えば適切なモジュールハウジングの外部において処理するために、回路構造内で発生した様々な電位を測定しにくくなる。
【０００５】
本発明の課題は、電子部品の回路構造、特に半導体モジュール、出力半導体モジュール、マトリックス変換器等を提供することにある。これにより、特に、回路の構造は、面積を縮小して、それでもなお精確に、明瞭に実現される。
【０００６】
本発明の課題を、請求項１の特徴を有する一般的な回路構造によって達成する。本発明による回路構造の有効な新形態については、従属請求項に記載する。
【０００７】
電子部品の回路構造、特に半導体モジュール、出力半導体モジュール等は、電子部品が配置されている共通のベース基板（Grundsubstrat）と、入力信号を入力し、制御信号を入力し、出力信号を出力
するために設計された第１、第２および／または第３誘導デバイスと、電子部品を少なくとも部分的に対をなして接続できる接続デバイスとを備えている。本発明による回路構造の特徴は、誘導デバイスおよび／または接続デバイスの少なくとも一部はそれぞれ、および／または、誘導デバイスおよび／または上記接続デバイスの全体が、ベース基板上にバス構造をとって備えられていることである。これにより、電子部品を配線するために必要で、場合によってはそれぞれ複数で別々の配線（Einzelleitungen）を含んだ誘導デバイスおよび／または接続デバイスを、ベース基板（例えばボード（Platine）または導体基板（Leiterplatte））の領域に形成することできる。これにより、それらの基板に、適切な（例えばプレーナ型の）ベース基板構造がプリントされる。つまり、これらの基板を、面積を縮小し、適切に小型化してベース基板構造に整合させる。
【０００８】
これに関して、バス構造は、複数で別々の誘導部品の少なくとも一部を備えている場合もある。このバス構造は、上下におよび／または相互に配線するために、および、提供される他の誘導デバイスを用いて配線するために、複数の電子部品に適した形状である。
【０００９】
ベース基板に整合した個々の配線を備えることを、原則的には考慮しているにもかかわらず、ほぼ導電性の基板が、特に表面領域としてベース基板上に設計されており、バス構造の少なくとも一部が、それぞれ導電性の基板（特に表面領域）として設計されていることが、特に有効である。ベース基板上に、通常、導電性の表面領域が備えられていることにより、ベース基板の表面または下面に電子素子および他の電子部品（Komponenten）を接触させ、および／または、それらの位置を機械的に決定して固定する。この実施形態に基づいて、
バス構造が導電性の表面領域として設計されているということは、特に有効である。バス構造が導電性のベース基板上の表面領域にパターン化されている場合、プリントボード（bedruckten Platine）に関するように、上述した実施形態に基づいた本発明による回路構造に関しても、配線の少なくとも一部は明瞭で、場合によっては配線は付加的に備えられない。
【００１０】
これに関して、電子部品の配線が複雑な場合はまさに、接触デバイスが備えられていることがさらに有効である。なお、この接触デバイスによって、電子部品の少なくとも１部分を、バス構造と、および／または、互いにまたは上下に接触できる。これにより、バス構造の個々の誘導部品（Einzelleitungskomponenten）と電子部品とを任意に組み合わせることができるということが、達成される。このことは、配線を全て組み合わせる場合、回路の解体は不可能であり、および／または、回路を解体しないということを考慮すると、ますます重要で必要不可欠である。接触デバイスを、付加的な配線（例えばボンディングされたワイヤ）としてそれぞれ実行するのがよい。
【００１１】
本発明による回路構造の他の有効な実施形態に関して、電子部品の少なくとも一部は、特に外部から制御できるスイッチングデバイスとしてそれぞれ設計されている。なお、このスイッチングデバイスは、特に入力端子、出力端子および制御端子を備えている。
【００１２】
これに関して、電子部品の少なくとも一部が電子スイッチとダイオードデバイスとを並列接続して設計されていることが、有効である。電子スイッチの１部を、トランジスタ、トライアック、すなわち好ましくはＩＧＢＴ等としてそれぞれ設計できる。
【００１３】
電子スイッチの少なくとも一部は、コレクタ領域またはドレイン領域、および、エミッタ領域またはソース領域を備えていることが好ましい。なお、ダイオードデバイスおよびエミッタ領域またはソース領域のカソード領域を備えるコレクタ領域またはドレイン領域は、ダイオードデバイスのアノード領域とそれぞれ接触している。このようにして、効果的な電子スイッチング素子を非常に容易に生成できるのである。
【００１４】
このスイッチング素子を制御するために、電子スイッチの少なくとも一部はベース領域またはゲート領域を備え、このベース領域またはゲート領域は、制御端子としてそれぞれ機能し、第２誘導デバイスと、特に接触デバイスを介して接続できるような構成になっている。これにより、第２誘導デバイス上に送られた制御信号が電子スイッチのゲート領域またはベース領域を介して実際に電子スイッチを適切に制御することが、保証される。
【００１５】
本発明による回路構造の特殊な実施形態に関して、回路構造は、第１誘導デバイス上の入力信号の複数成分を第３誘導デバイス上の出力信号の複数成分に変換するために、特に外部から制御可能なマトリックス変換器として設計されている。特に、適切な３相交流構造である場合に３相（drei Phasen）を見出すことができるように、３相がそれぞれ含まれていることが好ましい。
【００１６】
この場合、本発明による回路構造の他の有効な実施形態において、複数のスイッチングデバイスは、所定の対の数にとりわけ固定されて互いに設置されており、
対をなす第１部品の出力端子は、接触デバイスおよび／または接続デバイスを介して対に設置された第２部品の入力端子とそれぞれ接続できるような構成になっている。このようにして、複数のスイッチングデバイスは、対になって、場所を定めて設置される。例えば、３相交流構造の入力信号および出力信号が３相である場合、３つの入力位相のそれぞれと３つの出力位相のそれぞれとが結合するために、所定の９個の対に配置された全部で１８のスイッチングデバイスが備えられている。
【００１７】
本発明による回路構造の他の有効な実施形態において、対をなす第１部品の入力端子は、入力信号またはその一部を受信するために、特に接触デバイスを介して、第１誘導デバイスとそれぞれ接続でき、対をなす第２部品の出力端子は、出力信号またはその一部を出力するために、特に接触デバイスを介して、第３誘導デバイスと接続できる。
【００１８】
他の有効な点は、電子スイッチングデバイスの対をなす部品のエミッタ領域またはソース領域、または、コレクタ領域またはドレイン領域を、接触デバイスおよび／または接続デバイスを介して互いに同時に（gemeinsam）接続できるという点にある。これにより、スイッチングデバイスの各対は、共通のエミッタ電位またはソース電位上に、または、共通のコレクタ電位またはドレイン電位上に固定される。
【００１９】
本発明の回路構造の好ましい実施例を基本に、概略図を参照しながら本発明を以下に詳述する。
【００２０】
図１は、本発明の回路構造の第１実施例を示す概略的ブロック図である。図２は、本発明の回路構造の第２実施例を使用するマトリックス変換器の実施を示す。図３Ａ−Ｅは、図２の実施例に基づくマトリックス変換器に使用されるような電子的なスイッチングデバイスを示す概略的俯瞰図および断面側面図である。図４は、本発明の回路構造の他の実施例を示す概略的俯瞰図である。図５は、本発明の回路構造の他の実施例を示す。
【００２１】
図１は、本発明の回路構造１の第１実施例を概略的ブロック図の形状で示す。この図から、本発明の構造の基本的なバス構造が明らかとなる。
【００２２】
回路構造１のベース基板３上では、電子部品２ａおよび２ｂが、導電性の基板の領域４ａ上に配置され、固定されている。電子部品２ａおよび２ｂは、入力端子ｉ、出力端子ｏおよび制御端子ｃをそれぞれ備えている。
【００２３】
図１に示す本発明の回路構造の実施例では、電子部品２ａおよび２ｂの全体が、部品２ａの第１副構成部分（Untergesamtheit）と部品２ｂの第２副構成部分とに分割されており、これらの出力端子ｏ
もしくはこれらの入力端子ｉを介し、例えば、複数の個々の誘導部品を有する接続バスの形状でベース基板３に備えられている接続デバイス８を用いて、相互に接続することができる。第１副構成部分の電子部品２ａと、第２副構成部分の電子部品２ｂとは、直列に相互に連続して配置されており、空間的には接続デバイス８によって分割されており、接続デバイス８に向かってそれぞれ対をなして向かい合っている。しかし、本実施例では、このことが、電子部品２ａおよび２ｂのそれぞれ向かい合っている対はそれらの出力端子ｏもしくは入力端子ｉを介して相互に直接接続されていることをも意味しているわけではない。しかし、例えそうであっても、このことは必ずしも必要なわけではなく、各用途次第である。
【００２４】
本発明の回路構造１のベース基板３には、更に、第１の誘導デバイス５、つまり、入力バスが備えられている。入力バスは、場合によっては複数成分を有する入力信号Ｉを導く。この入力信号Ｉは、例えば、ボンディングワイヤ（Bonddraechten）の形状の適切な接触デバイス９を介して入力端子ｉを通り、第１副構成部分の電子部品２ａに入力される。この際、第１副構成部分の様々な電子部品２ａには、入力信号Ｉの異なる信号成分（Signalkomponenten）を入力することもできる。
【００２５】
他方、ベース基板３には、第３の誘導デバイス７、つまり、いわゆる出力バスも備えられている。この出力バスは、第２副構成部分の電子部品２ｂから入力され、場合によっては複数成分を有する出力信号Ｏを導く。出力信号Ｏは、出力信号Ｏのための寄与部分（Beitraegen）から構成されており、この寄与部分は、第２副構成部分の電子部品２ｂから、その出力端子ｏを介して、例えばボンディングワイヤの形状の適切な接続デバイス９を用いて、出力バス７に入力される。
【００２６】
更に、電子部品２ａおよび２ｂを制御するため、第２の誘導デバイス６、つまり、いわゆる制御バスが備えられている。この制御バスは、図１に示す実施例では、第１副構成部分の電子部品２ａ用の制御バス６ａと、第２副構成部分の電子部品２ｂ用の第２制御バス６ｂとに細分化されている。制御バス６ｂもしくは６ａ、６ｂは、場合によっては、複数成分を有する制御信号Ｃを導く。
【００２７】
本発明の回路構造１に備えられているバス構造は、この場合、平行な個々の誘導デバイス、ならびに、接続デバイス、つまり個々のバス部品５，６，６ｂおよび７によっても構成され、これらは、本発明の回路構造のベース基板３に、ベース基板３に配置されている導電性の基板４の表面領域４ａとして設計されている。
【００２８】
図２を、本発明の回路構造１の他の実施例を結線図の形状、つまり、いわゆるマトリックス変換器の形状で示す。この際、入力信号Ｉは、個々の位相（Einzelphasen）Ｒ，ＳおよびＴによって形成されており、従って、適切な回路構造によって、位相Ｕ，ＶおよびＷによって構成される出力信号Ｏに変換される。
【００２９】
図２の実施例では、１８個の同一の電子部品２ａおよび２ｂが備えられており、これらは、接続バス８を介して９個の個々の部品と相互に接続されている。接続バス８にある２×９＝１８個の個々の電子部品２ａおよび２ｂは、３つの入力位相Ｒ，ＳおよびＴのマトリックス接続を３つの出力位相Ｕ，ＶおよびＷに正確に表している。
【００３０】
１８個の電子部品２ａおよび２ｂは、既述のように、基本的には同一に形成されており、この際、各個々の電子部品２ａおよび２ｂは、相当するダイオード１２を有するＩＧＢＴ１０の並列回路から形成されている。この場合、各ダイオード１２の陽極Ａが、ＩＧＢＴ１０のエミッタＥに接続されているのに対し、ダイオード１２の陰極Ｋは、ＩＧＢＴ１０のコレクタＣに接続されている。更に、接続デバイス８、つまり接続バスを介して、第１副構成部分の各電子部品２ａ、つまり上部部品列は、ＩＧＢＴ１０の各コレクタＣが、相互に電気的に接触しているように、第２副構成部分の部品２ｂ、つまり下側に配置されている第２部品列と接続されている。この場合、いわゆる共通コレクタ構造のことが言われている。しかし、基本的には、様々な電子部品２ａおよび２ｂの各エミッタＥが、接続バス８を介して相互に接触されているいわゆる共通エミッタ構造も考えられる。
【００３１】
ここで、簡易化のため、ＩＧＢＴ１０のＧで示す制御端子は、基本的に、適切な制御信号を導く制御バスと接触している。図２では、制御バスは、図式的には明示されていない。
【００３２】
図３Ａから３Ｅは、ベース基板３に配置されており、かつ、ＩＧＢＴ１０およびダイオード１２から構成される電子部品２ａまたは２ｂを、概略的俯瞰図および部分的な断面側面図で示している。
【００３３】
図３Ａの俯瞰図では、ＩＧＢＴ１０およびダイオード１２が、ベース基板３にある導電性の基板４の共通な表面領域４ａに付与されているのを示す。ＩＧＢＴ１０およびダイオード１２は、各部品部分の内部端子にそれぞれ接続されている下部メタライジング層３０もしくは３１をそれぞれ有している。
【００３４】
ＩＧＢＴ１０のメタライジング領域３０は、この場合、ＩＧＢＴ１０のエミッタＥあるいはコレクタＣと導電して接続されている。ダイオード１２のメタライジング領域３１は、ダイオード１２の陰極Ｋあるいは陽極Ａと接続されている。従って、ＩＧＢＴ１０のメタライジング領域３０とダイオード１２の３１とは、同じ電位にある。
【００３５】
更に、ＩＧＢＴ１０およびダイオード１２のメタライジング領域３３および３４は、同じ電位にあり、この電位は、第１の誘導デバイス５、つまり、同様にベース基板３にある導電性を有する基盤４の表面領域４ａとして設計されている入力バスを介して仲介される。すなわち、この電位は、適切な接触デバイス９（例えば、ボンディングワイヤ）によって仲介される。同様に、ＩＧＢＴ１０のメタライジング領域３３は、ＩＧＢＴ１０のコレクタＣまたはエミッタＥに接続されている。一方、ダイオード１２のメタライジング領域３４は、ダイオード１２の陰極Ｋまたは陽極Ａに接続されている。
【００３６】
ＩＧＢＴ１０の制御は、同様にメタライジング領域３２および適切な接触デバイス９を介して制御バス６と接続されているゲートを介して行われる。制御バス６は、同様にベース基板３にある導電性の基板４の表面領域４ａとして設計されている。
【００３７】
図３Ｂから図３Ｅは、図３Ａの線Ｂ−Ｂ、Ｃ−Ｃ、Ｄ−ＤおよびＥ−Ｅに沿った断面図に相当し、それぞれ、見ている方向を矢印で示す。これら断面図によって、
ベース基板３と導電性の基板４とを備えた基板の層型の構造も、電子部品、つまりダイオード１２およびＩＧＢＴ１０の層型の構造も明らかにされる。
【００３８】
図４，５では、本発明に基づく回路構造１の他の２つの実施形態、つまり、図２に示すマトリックス変換器を実施した俯瞰図を示す。この際、１８個の必要な電子スイッチングデバイス２ａ、２ｂの全体は、図３Ａから図３Ｅに基本的に示したような１８個の構造を接続することによって実現される。
【００３９】
入力位相Ｒ，ＳおよびＴ用の端子は、ハウジング４０の上部の端領域に形成されている。この領域には、制御信号用の端子ＧＲ１からＧＲ３も備えられている。
【００４０】
図２と同様に、電子部品２ａおよび２ｂも、それぞれＩＧＢＴ１０とダイオード１２とから構成されており、ハウジング４０内に２列に積み重なって配置されている。この際、部品２ａの上列は、第１副構成部分を示し、部品２ｂの下列は、第２副構成部分を示している。上部部品列の上側に、入力バス５、つまり第１の誘導デバイスが直接形成されている。すなわち、第１の誘導デバイスは、位相Ｒ，ＳおよびＴのそれぞれに１つずつ、ベース基板３にある導電性の基板４の表面領域４ａとして形成されている。各位相Ｒ，ＳおよびＴ用に、つまり、電子部品２ａとの接続および接触も必要である場所にのみ、入力バス５を１つずつ配置することにより、面積は大幅に縮小され、構造が小型化される。常に、３つの電子部品２ａが１つのブロックに配置される。その結果、３つのブロックが生じ、各ブロックは、入力位相Ｒ，ＳおよびＴの１つに割り当てられている。
【００４１】
これらどのブロックにも、入力バス５の表面領域４ａの下側には、３組の制御バス６ａの表面領域４ａが
形成されている。制御バス６ａも、ベース基板３にある導電性の基板４の表面領域４ａの構造として、すなわち、同じく、制御信号のそれぞれのために部分的に、各電子部品２ａとの接触用に必要な空間的領域にのみ、設計されている。
【００４２】
第１副構成部分の電子部品２ａと第２副構成部の電子部品２ｂとの両方の列の間に、各電子部品２ａもしくは２ｂ用の接続バス８が配置されていることが分かる。接続バス８も、ベース基板３にある導電性の基板４の表面領域４ａの構造として形成されており、バス８は全体で、同じく部分的にのみ形成されており、このことが、著しい場所の節約に繋がっている。
【００４３】
第２副構成部分の電子部品２ｂの列の下側に、制御バス６ｂの第２部分の構造を、同じく、ベース基板３にある導電性の基板４の表面領域４ａの形状で認識することができる。このことは、同様に、部分的に構成され、ハウジング４０の位相Ｕ，ＶおよびＷ用の相当する端子と接触している出力バス７に繋がる。
【００４４】
入力バス５、制御バス６ａ，６ｂ、出力バス７、および接続バス８によって構成されるバスシステムの全ての個々の誘導部品は、ベース基板３にある導電性の基板４の表面領域４ａとしての領域にのみ部分毎に形成されており、この場所は、電子部品、他のバスまたはハウジング端子の適切な端子との接触が必要な場所である。上で既に詳細が説明されたように、各端子は、場合によって、特にボンディングワイヤの形状である相当する接触デバイス９により実現されている。
【００４５】
図５は、同様に、入力位相Ｒ，ＳおよびＴ、ならびに、出力位相Ｕ，ＶおよびＷを有するマトリックス変換器用の適切な配線を示す。この際、位相が、マトリックス変換器のハウジング４０の左端もしくは右端に入力され、そして出力（abgegriffen）される。ハウジングの端の上側もしくは下側に、制御信号ＧＲ１からＧＴ３が入力される。あるいは、ハウジングの端の下側に、制御信号ＧＵ１からＧＷ３が入力される。
【００４６】
図５の本発明の回路構造の実施例のバスシステムは、入力バス５と出力バス７との組み合わせのみから構成されている。制御信号ＧＲ１からＧＷ３は、直接的な接触デバイス９、つまりボンディングワイヤを通って入力される。接続バス８は、段階的に構成され、第１副構成部分もしくは第２副構成部分の相互に配置された電子部品２ａおよび２ｂを、エミッタもしくはコレクタを介して相互に１対として接続しており、その結果、各向かい合って立っている電子部品２ａと２ｂとは、直接相互に電気的に接続されている。
【００４７】
本発明の回路構造の好ましい実施形態では、制御および／またはユーザー信号を入力および／または出力するため、端子が備えられている。端子は、幾何学的にも電位的にも相互に分断されるように回路構造に設計されているグループを構成することが好ましい。図４に示す実施例では、マトリックス変換器の入力位相、つまりＲ，ＳおよびＴ、ならびに、出力位相、つまりＵ，ＶおよびＷの各端子は、入力／出力端子および制御端子に関連して、分割してハウジングに配置されており、相当する電位を生成または入力する回路ユニットは、ボード、つまりキャリア３上の相互に分割された電位島（Potentialinseln）に形成されていることによって実現される実施形態が好ましい。従って、例えば、入力位相端子Ｒ、ゲート制御端子ＧＲ１，ＧＲ２およびＧＲ３、ならびに、エミッタ制御端子ＥRは、第１入力位相Ｒ用に、ハウジング４０の外部において降下させることができる、従来のグループとは別の端子グループが形成される。端子グループＧＳ１，ＧＳ２，ＧＳ３，ＥSおよびＳは、第２入力位相Ｓに類似している。このことは、同じく最後の入力位相Ｔならびに本発明のマトリックス変換器の出力位相Ｕ，ＶおよびＷにも該当する。
【００４８】
入力位相Ｒ，ＳおよびＴに関連して、特に、適切な入力位相端子Ｒ，ＳおよびＴにも関連して、また、出力位相Ｕ，ＶおよびＷに関連して、特に適切な出力位相端子Ｕ，ＶおよびＷにも関連して、図４の実施例の回路構造は、基本的には対称または同一に構成されている。
【図面の簡単な説明】
【図１】  本発明の回路構造の第１実施例示す概略的ブロック図である。
【図２】  本発明の回路構造の第２実施例を使用するマトリックス変換器の実施を示す図である。
【図３】  Ａ−Ｅは、図２の実施例に基づくマトリックス変換器に使用されるような電子的なスイッチングデバイスの概略的俯瞰図および断面側面図である。
【図４】  本発明の回路構造の他の実施例を示す概略的俯瞰図である。
【図５】  本発明の回路構造の他の実施例を示す図である。
【図１】
0004004796.tif 000002
【図２】
0004004796.tif 000003
【図３Ａ】
0004004796.tif 000004
【図３Ｂ】
0004004796.tif 000005
【図３Ｃ】
0004004796.tif 000006
【図３Ｄ】
0004004796.tif 000007
【図３Ｅ】
0004004796.tif 000008
【図４】
0004004796.tif 000009
【図５】
0004004796.tif 000010